(57)【要約】【課題】オンデマンド印刷機により印刷して製作した書籍の場合でも、大変見開きが良い上に、書籍を効率良く作成することができる書籍の製作システムを提供すること。【解決手段】デジタルデータ印刷機１により編集データを直接用紙に印刷して製本する書籍製作システムにおいて、編集データ２頁分を１組のデータとし、このデータを１組ずつ用紙３の表版と裏版用に同じ向きに面付けした印刷データ１１を作成し、この印刷データをデジタルデータ印刷機１に入力して順次用紙３の両面に印刷し、この印刷された用紙を所定枚数ずつ２つ折りにして折丁を作成するようにしている。【選択図】  図２
2012000773.tif 000002
【特許請求の範囲】
【請求項１】
デジタルデータ印刷機により編集データを直接用紙に印刷して製本する書籍製作システムにおいて、編集データ２頁分を１組のデータとし、このデータを１組ずつ上記用紙の表版と裏版用に同じ向きに面付けした印刷データを作成し、この印刷データを上記デジタルデータ印刷機に入力して順次用紙の両面に印刷し、この印刷された用紙を所定枚数ずつ２つ折りにして折丁を作成するようにしたことを特徴とする書籍製作システム。
【請求項２】
デジタルデータ印刷機により編集データを直接用紙に印刷して製本する書籍製作システムにおいて、編集データ２頁分を１組のデータとし、このデータを複数組ずつ上記用紙の表版と裏版用に面付けして印刷データを作成し、このとき、それぞれの組の少なくとも表裏対応する組のデータは同じ向きに配置されるようにし、この印刷データを上記デジタルデータ印刷機に入力して順次用紙の両面に印刷し、この印刷され積み重ねられた用紙をそのまま１組のデータである２頁分の大きさで裁断し、この断裁された用紙を所定枚数ずつ２つ折りにして折丁を作成するようにしたことを特徴とする書籍製作システム。
【発明の詳細な説明】
【技術分野】
【０００１】
本発明は、書籍製作システムに関するものである。
【背景技術】
【０００２】
従来より、少部数印刷に適した印刷機として、いわゆるオンデマンド印刷機がある。この印刷機は、デジタルデータを紙にダイレクトに印刷するもので、オフセット印刷機のように刷版を作成する必要がないので、小部数の書籍を製作する場合に適している。
【０００３】
図６は、オンデマンド印刷機１を用いた従来の書籍製作システムを示す。
このシステムでは、まず、パソコン２を用いて編集データ４を予め作成し、このデータ４を印刷機１に入力して、用紙３の表と裏にそれぞれ１頁分ずつ直接印刷するようにしている〔図６（ａ）〜（ｃ）参照〕。
【０００４】
次いで、印刷された用紙３を、それらの向きを揃えながら重ねて書籍本体５ａを作成し、その背（のど）５ｂ側付近に厚さ方向に向けて複数の貫通穴６を開け、これらの貫通穴のそれぞれに太糸７を通して手作業による蝶結びなどの方法で綴じ、３方裁ちした後、表紙８を付けて書籍５を完成させていた〔図６（ｄ），（ｅ）、図７参照〕。
【発明の概要】
【発明が解決しようとする課題】
【０００５】
ところで、上記したように、従来の書籍製作システムにより作成した書籍５は、とくにその書籍本体５ａの貫通穴６付近が太糸７によって固定されているために、背５ｂ側付近から大きく開くことができず、見開きの悪い書籍５となっていた（図７参照）。
それ故、出来上がった書籍５は、資料用として保存するには良いが、通常の書籍のように開いて読んだりするには不便であり、書籍としての価値は低く、見た目も悪かった。
【０００６】
また、上記のように、太糸７を用いて綴じる方法では、人手によって結ぶ作業が必須であり、機械的に自動で行うことはできないことから、製本作業に大変時間と労力がかかっていた。
【０００７】
本発明は、上記事情に鑑みてなされたもので、その目的は、デジタルデータ印刷機を用いて作成した書籍の場合でも、通常の書籍のように大きく開いて読むことができ、書籍としての価値が高く、見た目も良い書籍を作成でき、しかも、製本作業に要する時間と労力の低減を図ることができる書籍製作システムを提供することにある。
【課題を解決するための手段】
【０００８】
上記した目的を達成するため、請求項１の本発明では、デジタルデータ印刷機により編集データを直接用紙に印刷して製本する書籍製作システムにおいて、編集データ２頁分を１組のデータとし、このデータを１組ずつ上記用紙の表版と裏版用に同じ向きに面付けした印刷データを作成し、この印刷データを上記デジタルデータ印刷機に入力して順次用紙の両面に印刷し、この印刷された用紙を所定枚数ずつ２つ折りにして折丁を作成するようにしている。
【０００９】
また、請求項２の本発明では、デジタルデータ印刷機により編集データを直接用紙に印刷して製本する書籍製作システムにおいて、編集データ２頁分を１組のデータとし、このデータを複数組ずつ上記用紙の表版と裏版用に面付けして印刷データを作成し、このとき、それぞれの組の少なくとも表裏対応する組のデータは同じ向きに配置されるようにし、この印刷データを上記デジタルデータ印刷機に入力して順次用紙の両面に印刷し、この印刷され積み重ねられた用紙をそのまま１組のデータである２頁分の大きさで裁断し、この断裁された用紙を所定枚数ずつ２つ折りにして折丁を作成するようにしている。
【発明の効果】
【００１０】
上記した請求項１の本発明によれば、印刷された用紙の向きを揃える作業をすることなくそのまま用紙を重ねて２つ折りにして折丁を作成できることから、短時間で折丁を作成することが可能となり、しかも、折丁にしていることから日本古来の製本方式、いわゆる本綴り上製本が可能となり、大変見開きが良く、蝶結びなどの手作業も不要となるため、見た目の美しさと実用性を兼ね備えた価値の高い書籍を作成することができる。
しかも、折丁にして上製本が可能となったことから、蝶結びのような手作業も不要となるので、機械による自動化も可能となり、製本作業に要する時間と労力の低減を図ることもできる。
【００１１】
また、上記した請求項２の本発明によれば、用紙の両面にそれぞれ４頁分以上のデータを印刷して折丁を作成する場合でも、印刷された用紙の向きを揃える作業をすることなくそのまま用紙を裁断して同時に複数セットの折丁を作成できるので、作業を素早く行うことができ、見開きの良い書籍を作成できる上に、書籍の製作作業を効率的に行うことができる。
【図面の簡単な説明】
【００１２】
【図１】本発明に係る書籍製作システムの一実施態様を示すフロー図である。
【図２】用紙の両面にそれぞれ１組の印刷データを印刷する場合の面付けを示す図である。
【図３】本発明の一実施形態の書籍製作システムにより製作された書籍の開き具合を示す図である。
【図４】用紙の両面にそれぞれ２組の印刷データを印刷する場合の面付けを示す図である。
【図５】用紙の両面にそれぞれ２組の印刷データを印刷して束ねた様子と、これらの用紙の束を断裁した様子を示す図である。
【図６】従来の書籍製作システムを示すフロー図である。
【図７】従来の書籍製作システムにより製作された書籍の開き具合を示す図である。
【発明を実施するための形態】
【００１３】
以下に、本発明を図面に示した実施の形態に基づいて説明する。
【００１４】
図１は、本発明に係る書籍製作システムの一実施形態を示すものである。本実施形態の製作システムにおいても、従来と同様のデジタルデータ印刷機、すなわちオンデマンド印刷機１を使用している。
【００１５】
本実施形態は、用紙３の両面にそれぞれ２頁分ずつ印刷するようにした場合の例である。同実施形態では、まず、編集データ２頁分を１組のデータとし、パソコン２を用いてこれらのデータを１組ずつ用紙３の表版と裏版用に同じ向きで面付けした印刷データ１１を予め作成し、この印刷データ１１をデジタルデータ印刷機１に入力して順次用紙３の両面に印刷し、この印刷された用紙３をそのまま４枚ずつ２つ折りにして１６頁の折丁１２を作成し〔図１（ａ）〜（ｄ）参照〕、その後も上記の要領で順次折丁１２を作成し、所定部数作成するようにしている。
【００１６】
ここで、用紙３を例えば４枚ずつ２つ折りにして折丁１２を作成する場合の面付けについて詳しく説明すると、印刷データ１１は、図２に示すように、各面に印刷される編集データが表裏ともに同じ向きになるように、かつ折丁１２にした際には頁が連続するように作成される。
【００１７】
すなわち、このときの面付けは、最初に印刷される用紙３については、図２（ａ）に示すように、表版として第１６頁と第１頁のデータを割付け、裏版として第２頁と第１５頁を割付けたものとなる。第１頁の裏には第２頁が位置し、第１６頁の裏には第１５頁が位置するように配置される。
【００１８】
次に印刷される用紙３については、図２（ｂ）に示すように、表版として第１４頁と第３頁のデータを割付け、裏版として第４頁と第１３頁を割付けたものとなる。このとき、第３頁の裏には第４頁が位置し、第１４頁の裏には第１３頁が位置するように配置される。順次、用紙３に印刷される頁のうち最小の頁と最大の頁が表版に配置されるように頁が割付けられる。
【００１９】
このようにして作成された印刷データ１１をデジタルデータ印刷機１に入力すると、用紙３に印刷データ１１が表裏同じ向きに印刷されていく。次いで、印刷された用紙３を、向きと頁順を気にすることなく４枚ずつそのまま２つ折りにすれば、頁の連続した折丁１２を素早く作成することができる。
【００２０】
所定部数の折丁１２が完成したところで、それぞれの折丁１２を周知の方法で糸綴じ製本し、必要に応じて天地と小口の化粧裁ちをした後、表紙１３を取り付ければ書籍１４が完成する〔図１（ｅ）参照〕。
【００２１】
このようにして完成した書籍１４は、図３に示すように、その背１４ａのところから容易に大きく開くことができるので大変見易く、デジタルデータ印刷機１を用いて作成した書籍１４の場合でも、通常の書籍のように大きく開いて読むことができ、書籍としての価値が高い書籍を作成することができる。
【００２２】
また、従来のように蝶結びなどをすることなく製本できるので、機械による自動化も可能となり、製本作業に要する時間と労力の低減を図ることもできる。
【００２３】
上記実施態様では、２頁分の編集データを１組のデータとして用紙３の一面につき１組ずつ印刷するようにしたが、本発明はこれに限らず、用紙３の両面にそれぞれ２組以上のデータを印刷するようにしても勿論良く、偶数組であれば何組でも良い。
【００２４】
例えば２組の印刷データ１１を用紙３に印刷する場合について説明すると、印刷データ１１は、図４に示すように、同じ内容の印刷データ１１を２組ずつ用紙３の両面に面付けしたものとなる。すなわち、最初に印刷される用紙３の表版として、同じ向きで第１６頁と第１頁の印刷データ１１を２組割付け、裏版として、同様に同じ向きで第２頁と第１５頁を２組割付けたものとなる。このとき、第１頁の裏には第２頁が位置し、第１６頁の裏には第１５頁が位置する。
【００２５】
次に印刷される用紙３の場合も同様で、表版として、同じ向きで第１４頁と第３頁の印刷データ１１を２組割付け、裏版として、同じ向きで第４頁と第１３頁を２組割付けたものとなる。このとき、第３頁の裏には第４頁が位置し、第１４頁の裏には第１３頁が位置する。順次、用紙３に印刷される組の頁のうち最小の頁と最大の頁が表版に配置されるように頁を割付けていく。
【００２６】
このようにして作成された印刷データ１１をデジタルデータ印刷機１に入力すると、用紙３に表裏の印刷データ１１が同じ向きに印刷されていく。印刷された用紙３をそのまま積み重ねたまま１組の印刷データ１１分ずつ断裁し（図５参照）、次いで、これらの断裁された用紙を４枚ずつそのまま２つ折りにすれば、同時に同じ内容の折丁１２を２セット作成することができる。
【００２７】
この実施態様では、用紙３に印刷される印刷データ１１が表裏同じ向きに印刷されるので、用紙３の向きと頁順を気にすることなく、そのまま用紙３を所定枚数ずつ折るだけで、頁の連続した折丁１２を素早く２セット作成することができることから、書籍製作作業を効率的に行うことができる。所定数の折丁１２が完成したあとの処理は、上記実施形態の場合と同様であり、説明を省略する。
【００２８】
上記実施形態では、一面に印刷される２組の印刷データ１１の向きを同じにしたが、組ごとに異なっていても良く、要は、用紙の表裏の対応する印刷データ同士の向きが一致していれば良いので、それぞれの組の印刷データ１１の向きはその後の作業工程等を考慮して適宜に決定すれば良い。
【００２９】
また、上記実施形態では、印刷された用紙３を４枚ずつ２つ折りにして１６頁の折丁１２を作成するようにしたが、本発明はこれに限らず、２枚でも３枚でも良く、また５枚でも６枚でも、またそれ以上の枚数を折って折丁１２を作成するようにしても勿論よく、特に枚数は限定されない。
【００３０】
上記実施態様では、デジタルデータ印刷機１は、いわゆるオンデマンド印刷機としたが、本発明はこれに限らず、要は、デジタルデータを枚葉紙の両面に印刷することができるものであれば良く、レーザー式プリンタでもインクジェット式のプリンタでも良い。
【符号の説明】
【００３１】
１      オンデマンド印刷機
２      パソコン
３      用紙
１１    印刷データ
１２    折丁
１３    表紙
１４    書籍
１４ａ  背
【図１】
2012000773.tif 000003
【図２】
2012000773.tif 000004
【図３】
2012000773.tif 000005
【図４】
2012000773.tif 000006
【図５】
2012000773.tif 000007
【図６】
2012000773.tif 000008
【図７】
2012000773.tif 000009